(57)【要約】【課題】錠剤に過大な負担がかかることを防止することができる錠剤カセッターを提供する。【解決手段】蓋部１５下では、本体４９に排出孔４８が設けられており、溝４５に収納されて送られた錠剤７０は蓋部１５下に達すると排出孔４８から下部へ落下し、溝４５から一部分がはみ出した状態で送られた錠剤７０は蓋部１５と当接する。本体部１２は、蓋部１５と錠剤７０との当接が開始した状態において蓋部１５のうち錠剤７０との当接部分が錠剤７０から押圧されて移動する動作の支点となる第一支点１０１と、第一支点を支点とした本体部１２および延在部１３の動作が終了した後に蓋部１５のうち錠剤７０との当接部分が錠剤７０から押圧されて移動する動作となる第二支点１０２とを有する。【選択図】図１４
2016165495.tif 000002
【特許請求の範囲】
【請求項１】
錠剤を収納するための本体と、
前記本体に収納された錠剤を受け入れるための溝が設けられた送り部材と、
前記本体に取付けられる弾性部と、前記弾性部に取付けられて前記溝の開口部の少なくとも一部分を塞ぐことが可能な蓋部とを含む仕切部材とを備え、
前記蓋部下では前記本体に孔が開いており、前記溝に収納されて送られた錠剤は前記蓋部下に達すると前記本体の孔から下部へ落下し、
前記溝から一部分がはみ出した状態で送られた錠剤は前記蓋部と当接し、
前記弾性部は、前記蓋部と錠剤との当接が開始した状態において前記蓋部のうち前記錠剤との当接部分が錠剤から押圧されて移動する動作の支点となる第一支点と、前記第一支点を支点とした前記弾性部の動作が終了した後に前記蓋部のうち前記錠剤との当接部分が前記錠剤から押圧されて移動する動作の支点となる第二支点とを有する、錠剤カセッター。
【請求項２】
前記第一支点は、前記第二支点よりも前記錠剤の流れの下流側に位置している、請求項１に記載の錠剤カセッター。
【請求項３】
前記弾性部は、互いに錠剤が送られる方向に延びる第一および第二片を有し、前記第一片が一方端側で前記本体に取付けられ、前記第二片が前記蓋部に取付けられ、前記第一および第二片は他方端側で互いに接続される、請求項２に記載の錠剤カセッター。
【請求項４】
前記仕切部材は金属板を曲げることで製造される、請求項３に記載の錠剤カセッター。
【請求項５】
錠剤を収納するための本体と、
前記本体に収納された錠剤を受け入れるための溝が設けられた送り部材と、
前記本体に取付けられる弾性部と、前記弾性部に取付けられて前記溝の開口部の少なくとも一部分を塞ぐことが可能な蓋部とを含む仕切部材とを備え、
前記蓋部下では前記本体に孔が開いており、前記溝に収納されて送られた錠剤は前記蓋部下に達すると前記本体の孔から下部へ落下し、
前記溝から一部分がはみ出した状態で送られた錠剤は前記蓋部と当接し、
前記弾性部は、互いに錠剤が送られる方向に延びる第一および第二片を有し、前記第一片が錠剤の流れの上流側の一方端側で前記本体に取付けられ、前記第二片が前記蓋部に取付けられ、前記第一および第二片は下流側の他方端側で互いに接続される、錠剤カセッター。
【発明の詳細な説明】
【技術分野】
【０００１】
この発明は、主として病院等に設置され、錠剤、カプセル等の薬剤を患者毎の処方箋に従って適宜選択して取出すための薬剤供給装置に装着される錠剤等の薬剤供給装置の錠剤カセッターに関するものである。
【背景技術】
【０００２】
従来、錠剤カセッターは、たとえば特開平９−２６６９４０号公報（特許文献１）に開示されている。
【先行技術文献】
【特許文献】
【０００３】
【特許文献１】特開平９−２６６９４０号公報
【発明の概要】
【発明が解決しようとする課題】
【０００４】
従来のカセッターでは、錠剤を案内するための仕切板に錠剤が接触しながら移動する場合に錠剤に過大な負担がかかりやすいという問題があった。
【０００５】
そこで、この発明は上述のような問題点を解決するためになされたものであり、錠剤に過大な負荷がかかることを防止することが可能な錠剤カセッターを提供することを目的とする。
【課題を解決するための手段】
【０００６】
この発明の一つの局面に従った錠剤カセッターは、錠剤を収納するための本体と、本体に収納された錠剤を受け入れるための溝が設けられた送り部材と、本体に取付けられる弾性部と、弾性部に取付けられて溝の開口部の少なくとも一部分を塞ぐことが可能な蓋部とを含む仕切部材とを備え、蓋部下では本体に孔が開いており、溝に収納されて送られた錠剤は蓋部下に達すると本体の孔から下部へ落下し、溝から一部分がはみ出した状態で送られた錠剤は蓋部と当接し、弾性部は、蓋部と錠剤との当接が開始した状態において蓋部のうち錠剤との当接部分が錠剤から押圧されて移動する動作の支点となる第一支点と、第一支点を支点とした弾性部の動作が終了した後に蓋部のうち錠剤との当接部分が錠剤から押圧されて移動する動作の支点となる第二支点とを有する。
【０００７】
このように構成された錠剤カセッターでは、２つの支点を有するため、錠剤の位置に応じて支点を変えることで、小さな力で弾性部を変形させることができ、錠剤に過大な負荷がかかることを防止できる。
【０００８】
好ましくは、第一支点は、第二支点よりも錠剤の流れの下流側に位置している。
好ましくは、弾性部は、互いに錠剤が送られる方向に延びる第一および第二片を有し、第一片が一方端側で本体に取付けられ、第二片が蓋部に取付けられ、第一および第二片は他方端側で互いに接続される。
【０００９】
好ましくは、仕切部材は金属板を曲げることで製造される。
この発明の別の局面に従った錠剤カセッターは、錠剤を収納するための本体と、本体に収納された錠剤を受け入れるための溝が設けられた送り部材と、本体に取付けられる弾性部と、弾性部に取付けられて溝の開口部の少なくとも一部分を塞ぐことが可能な蓋部とを含む仕切部材とを備え、蓋部下では本体に孔が開いており、溝に収納されて送られた錠剤は蓋部下に達すると本体の孔から下部へ落下し、溝から一部分がはみ出した状態で送られた錠剤は蓋部と当接し、弾性部は、互いに錠剤が送られる方向に延びる第一および第二片を有し、第一片が錠剤の流れの上流側の一方端側で本体に取付けられ、第二片が蓋部に取付けられ、第一および第二片は下流側の他方端側で互いに接続される。
【００１０】
このように構成された錠剤カセッターでは、第一片および第二片が設けられることで、蓋部が錠剤から押圧された場合であっても、一方端および他方端のいずれか側を支点として蓋部を揺動運動させることが可能である。その結果、小さな力で弾性部を変形させることができ、錠剤に過大な負荷がかかることを防止できる。
【図面の簡単な説明】
【００１１】
【図１】この発明の実施の形態１に従った錠剤カセッターで用いられる仕切板の正面図である。
【図２】図１中の矢印ＩＩで示す方向から見た仕切板の平面図である。
【図３】図２中の矢印ＩＩＩで示す方向から見た仕切板の背面図である。
【図４】図１中の矢印ＩＶで示す方向から見た仕切板の底面図である。
【図５】図１中の矢印Ｖで示す方向から見た仕切板の右側面図である。
【図６】図１中の矢印ＶＩで示す方向から見た仕切板の左側面図である。
【図７】図１中のＶＩＩ−ＶＩＩ線に沿った断面図である。
【図８】図１中のＶＩＩＩ−ＶＩＩＩ線に沿った断面図である。
【図９】図１で示す仕切板の斜視図である。
【図１０】実施の形態１に従った錠剤カセッターの正面図である。
【図１１】図１０で示す錠剤カセッターの底面図である。
【図１２】図１０で示す錠剤カセッターの右側面図である。
【図１３】この発明に従った錠剤カセッターが用いられる錠剤カウンターを示す斜視図である。
【図１４】錠剤カセッター内での錠剤の動きを示す正面図である。
【図１５】錠剤カセッター内での錠剤の動きを示す平面図である。
【図１６】錠剤と接触する直前の仕切板を示す図である。
【図１７】蓋部へ錠剤が接触を開始した状態の仕切板を示す図である。
【図１８】図１７からさらに錠剤が送られた状態の仕切板を示す図である。
【図１９】図１８からさらに錠剤が送られた状態の仕切板を示す図である。
【図２０】錠剤が通過した後の仕切板を示す図である。
【図２１】比較例に従った仕切板の斜視図である。
【図２２】比較例に従った仕切板における錠剤との接触状況を示す図である。
【図２３】蓋部へ錠剤が接触を開始した状態の比較例に従った仕切板を示す図である。
【図２４】図２３からさらに錠剤が送られた状態の比較例に従った仕切板を示す図である。
【図２５】この発明の実施の形態２に従った錠剤カセッターで用いられる仕切板の正面図である。
【図２６】図２５中の矢印ＸＸＶＩで示す方向から見た仕切板の平面図である。
【図２７】図２６中の矢印ＸＸＶＩＩで示す方向から見た仕切板の背面図である。
【図２８】図２５中の矢印ＸＸＶＩＩＩで示す方向から見た仕切板の底面図である。
【図２９】図２５中の矢印ＸＸＩＸで示す方向から見た仕切板の右側面図である。
【図３０】図２５中の矢印ＸＸＸで示す方向から見た仕切板の左側面図である。
【図３１】図２５中のＸＸＸＩ−ＸＸＸＩ線に沿った断面図である。
【図３２】図２５で示す仕切板の斜視図である。
【図３３】実施の形態２に従った錠剤カセッターの正面図である。
【図３４】錠剤カセッター内での錠剤の動きを示す正面図である。
【図３５】錠剤カセッター内での錠剤の動きを示す平面図である。
【図３６】この発明の実施の形態３に従った錠剤カセッターの平面図である。
【発明を実施するための形態】
【００１２】
以下、この発明の実施の形態について、図面を参照して説明する。なお、以下の実施の形態では同一または相当する部分については同一の参照符号を付し、その説明については繰返さない。また、各実施の形態を組合せることも可能である。
【００１３】
（実施の形態１）
図１は、この発明の実施の形態１に従った錠剤カセッターで用いられる仕切板の正面図である。図２は、図１中の矢印ＩＩで示す方向から見た仕切板の平面図である。図３は、図２中の矢印ＩＩＩで示す方向から見た仕切板の背面図である。図４は、図１中の矢印ＩＶで示す方向から見た仕切板の底面図である。図５は、図１中の矢印Ｖで示す方向から見た仕切板の右側面図である。図６は、図１中の矢印ＶＩで示す方向から見た仕切板の左側面図である。図７は、図１中のＶＩＩ−ＶＩＩ線に沿った断面図である。図８は、図１中のＶＩＩＩ−ＶＩＩＩ線に沿った断面図である。図９は、図１で示す仕切板の斜視図である。
【００１４】
図１から図９を参照して、実施の形態１に従った錠剤カセッターで用いられる仕切板１０は、錠剤カセッターに取付けられる取付部１１と、取付部１１に接続される本体部１２と、本体部１２と平行に延びる延在部１３と、本体部１２と延在部１３とを接続する接続部１９と、延在部１３に設けられる蓋部１５とを有する。取付部１１には２つの孔２１，２２が設けられている。２つの孔２１，２２は共に長孔形状であり、錠剤カセッターに対する仕切板１０の位置を変化させることが可能な形状とされている。
【００１５】
本体部１２と取付部１１との境界近傍が第二支点１０２である。第二支点１０２を中心として、本体部１２は揺動運動をすることが可能である。本体部１２が揺動することにより、本体部１２および本体部１２に接続される延在部１３とが揺動運動する。
【００１６】
本体部１２と延在部１３とを接続する接続部１９付近が第一支点１０１となる。第一支点１０１を中心として、延在部１３が揺動運動することが可能である。本体部１２と延在部１３との間にはスリット３０が設けられている。スリット３０の長さを長くすることにより、接続部１９の長さが短くなる。接続部１９のスリット方向の長さは、第一支点１０１を中心とした延在部１３の揺動運動に関連し、接続部１９のスリット３０方向の長さが長ければ、接続部１９の強度が大きくなるため、第一支点１０１を中心として延在部１３が揺動運動することが困難となる。
【００１７】
窓１４は、送られる錠剤（カプセルを含む）の位置を見るための窓であり、ロータにより送られる錠剤の位置に対して最適な位置となるように仕切板１０が取付けられる。
【００１８】
蓋部１５は板状に形成され、取付部１１側から流れてくる錠剤と接触する縁は、スムーズに錠剤が移動するように湾曲している。この例では、図２で示すように、第一支点１０１側に大きな山が存在し、第二支点１０２側に小さい山が存在するような形状とされている。
【００１９】
図１０は、実施の形態１に従った錠剤カセッターの正面図である。図１１は、図１０で示す錠剤カセッターの底面図、図１２は、図１０で示す錠剤カセッターの右側面図である。図１０から図１２を参照して、錠剤カセッター４０の前面に、ビス４１，４２により仕切板１０が取付けられる。孔２１，２２が長孔形状であり、図１０で示す縦方向に仕切板１０の取付位置を変化させることが可能である。これにより、錠剤カセッター４０内に収納される錠剤の種類（大きさ）に応じて仕切板１０の取付位置を変化させることが可能である。
【００２０】
錠剤カセッター４０には、ロータを回転させるためのギヤ４３が設けられる。このギヤ４３は外部から駆動される。
【００２１】
図１３は、この発明に従った錠剤カセッターが用いられる錠剤カウンターを示す斜視図である。図１３を参照して、錠剤カウンター６０上に錠剤カセッター４０と、カセッターベース５０が設けられている。錠剤カセッター４０に収納された錠剤はカセッターベース５０を経由して錠剤カウンター６０へ送られ、錠剤カウンター６０内でその数が数えられる。
【００２２】
なお、この例では、錠剤カウンター６０に錠剤カセッター４０を取付ける場合を示したが、これに限られず、錠剤カセッター４０はカセッターベース５０と共に、分包機に取付けられてもよい。
【００２３】
図１４は、錠剤カセッター内での錠剤の動きを示す正面図である。図１５は、錠剤カセッター内での錠剤の動きを示す平面図である。図１４および図１５を参照して、錠剤カセッター４０内においては、ロータ４４が回転することで、錠剤７０が排出孔４８から排出される。ロータ４４には溝４５が設けられており、溝４５に嵌まり合った錠剤７０は、蓋部１５の下側を通って排出孔４８から排出される。しかしながら、図１４および図１５で示すように、溝４５から一部分がはみ出て上方へ突出した錠剤７０が矢印Ｒで示す方向にロータ４４により送られると、この錠剤は蓋部１５と接触する。
【００２４】
図１６は、錠剤と接触する直前の仕切板を示す図である。図１６を参照して、錠剤７０は、溝４５からはみ出すように配置されることがある。この状態でロータ４４により錠剤７０が送られると、錠剤７０は蓋部１５に近接する。
【００２５】
図１７は、蓋部へ錠剤が接触を開始した状態の仕切板を示す図である。図１７を参照して、錠剤７０が蓋部１５に接触すると、錠剤７０は矢印７１で示す方向に、蓋部１５へ力を加える。この力により、蓋部１５が第一支点１０１を中心として揺動運動する。その結果、蓋部１５の位置が図１６で示す位置から変わり、ロータ４４と蓋部１５との間の隙間が大きくなる。そして錠剤７０がロータ４４により送られる。
【００２６】
図１８は、図１７からさらに錠剤が送られた状態の仕切板を示す図である。図１８で示すように、錠剤７０がさらに送られて錠剤７０は、第一支点１０１と第二支点１０２とのほぼ中間地点に位置する。この場合、第一支点１０１および第二支点１０２の両方を中心として蓋部１５が揺動運動して、蓋部１５は、図１６で示す位置からほぼ平行に左側へ移動した位置となる。
【００２７】
図１９は、図１８からさらに錠剤が送られた状態の仕切板を示す図である。図１９を参照して、さらに錠剤７０が送られると、錠剤７０は矢印７１で示すように、蓋部１５における第一支点１０１側の部分に力を加える。これにより、蓋部１５は、第二支点１０２を中心として揺動運動をする。そして蓋部１５のうち、錠剤７０と接触していない部分１５ａは溝４５の一部分を覆う。
【００２８】
図２０は、錠剤が通過した後の仕切板を示す図である。図２０を参照して、蓋部１５と錠剤７０とが接触しない状態であれば、蓋部１５は、通常の位置に戻される。
【００２９】
実施の形態１に従った錠剤カセッター４０は、錠剤７０を収納するための本体４９と、本体４９に収納された錠剤７０を受け入れるための溝４５が設けられた送り部材としてのロータ４４と、本体４９に取付けられる弾性部としての本体部１２および延在部１３と、本体部１２に取付けられて溝４５の開口部の少なくとも一部を塞ぐことが可能な蓋部１５とを含む仕切板１０とを備える。蓋部１５下では、本体４９に排出孔４８が設けられており、溝４５に収納されて送られた錠剤７０は蓋部１５下に達すると排出孔４８から下部へ落下し、溝４５から一部分がはみ出した状態で送られた錠剤７０は蓋部１５と当接する。本体部１２は、蓋部１５と錠剤７０との当接が開始した状態において蓋部１５のうち錠剤７０との当接部分が錠剤７０から押圧されて移動する動作の支点となる第一支点１０１と、第一支点を支点とした本体部１２および延在部１３の動作が終了した後に蓋部１５のうち錠剤７０との当接部分が錠剤７０から押圧されて移動する動作となる第二支点１０２とを有する。
【００３０】
第一支点１０１は、第二支点１０２よりも錠剤７０の流れの下流側に位置している。弾性部は、互いに錠剤が送られる方向に延びる第一片としての本体部１２および第二片としての延在部１３を有し、本体部１２が一方端側で本体４９に取付けられ、延在部１３が蓋部１５に取付けられ、本体部１２および延在部１３は他方端側で互いに接続される。仕切板１０は金属板を曲げることで製造される。
【００３１】
図２１は、比較例に従った仕切板の斜視図である。図２１では、本体部１２に直接蓋部１５が取付けられている点で、本体部１２と蓋部１５との間に延在部が介在する、実施の形態１に従った仕切板と異なる。
【００３２】
図２２は、比較例に従った仕切板における錠剤との接触状況を示す図である。図２２を参照して、錠剤７０がロータ４４に送られ、この場合において、錠剤７０の位置が不適切であれば、この錠剤７０は蓋部１５に接触する。
【００３３】
図２３は、蓋部へ錠剤が接触を開始した状態の比較例に従った仕切板を示す図である。図２３で示すように、錠剤７０が蓋部１５に接触すると、第一支点１０１を中心として蓋部１５が大きく揺動運動する。
【００３４】
図２４は、図２３からさらに錠剤が送られた状態の比較例に従った仕切板を示す図である。図２４を参照して、さらに錠剤７０が送られれば、より大きく蓋部１５が揺動運動する。このとき、蓋部１５は排出孔４８の上方をほぼ覆わない状態となり、排出孔４８は開放される。排出孔４８の上方が開放されると、溝４５に錠剤が落ちて、この錠剤が排出孔４８から落ちてしまうことがある。
【００３５】
以上のように構成された、この発明の実施の形態１に従った錠剤カセッターおよびそれで用いられる仕切板では、比較例と比べて、錠剤７０が蓋部１５と接触している間において、常に蓋部１５の一部分がロータの溝４５を覆っている。その結果、排出孔４８が常に蓋部１５で覆われるため、比較例のような不具合を防ぐことができる。
【００３６】
また、第一支点１０１および第二支点１０２を設け、錠剤７０と支点間の距離が長くなり、支点と作用点の距離が長くなるため、蓋部１５が容易に揺動運動する。これにより、錠剤に過大な負担がかかることを防止することができる。
【００３７】
また、仕切板１０に過大な負担がかかることを防止することができ、蓋部１５の上下方向の撓みが低減される。
【００３８】
また、スムーズに錠剤が移動することが可能となるので、ロータ４４を回転させるための駆動源、およびロータ４４と駆動源との間に介在するギヤ４３などの動力伝達部に過大な負担がかかることを防止することができる。
【００３９】
以上のように、支点を２箇所設けることによって、錠剤の流れに沿った蓋部１５の逃げが可能となり、かつ排出孔を確実に封止することができる。
【００４０】
さらに、排出溝の蓋となる部分の根元の曲げ距離を長くすれば、上下方向の撓みが低減される。
【００４１】
なお、仕切板１０の材質は金属に限定されず、樹脂またはゴムでもよい。
（実施の形態２）
図２５は、この発明の実施の形態２に従った錠剤カセッターで用いられる仕切板の正面図である。図２６は、図２５中の矢印ＸＸＶＩで示す方向から見た仕切板の平面図である。図２７は、図２６中の矢印ＸＸＶＩＩで示す方向から見た仕切板の背面図である。図２８は、図２５中の矢印ＸＸＶＩＩＩで示す方向から見た仕切板の底面図である。図２９は、図２５中の矢印ＸＸＩＸで示す方向から見た仕切板の右側面図である。図３０は、図２５中の矢印ＸＸＸで示す方向から見た仕切板の左側面図である。図３１は、図２５中のＸＸＸＩ−ＸＸＸＩ線に沿った断面図である。図３２は、図２５で示す仕切板の斜視図である。図３３は、実施の形態２に従った錠剤カセッターの正面図である。図３４は、錠剤カセッター内での錠剤の動きを示す正面図である。図３５は、錠剤カセッター内での錠剤の動きを示す平面図である。
【００４２】
図２５から図３５を参照して、実施の形態２に従った錠剤カセッターで用いられる仕切板１０は、錠剤カセッターに取付けられる取付部１１と、取付部１１に接続される本体部１２と、本体部１２と平行に延びる延在部１３と、本体部１２と延在部１３とを接続する接続部１９と、延在部１３に設けられる蓋部１５とを有し、上側に本体部１２が設けられ、下側に延在部１３および蓋部１５が設けられる。
【００４３】
このように構成された実施の形態２に従った錠剤カセッター４０でも、実施の形態１に従った錠剤カセッター４０と同様の効果がある。
【００４４】
（実施の形態３）
図３６は、この発明の実施の形態３に従った錠剤カセッターの平面図である。図３６を参照して、実施の形態３に従った錠剤カセッターでは、第一支点１０１および第二支点１０２がコイルバネ８１，８２で構成されている点で、実施の形態１に従った錠剤カセッターと異なる。
【符号の説明】
【００４５】
１０  仕切板、１１  取付部、１２  本体部、１３  延在部、１４  窓、１５  蓋部、１９  接続部、２１，２２  孔、３０  スリット、４０  錠剤カセッター、４１，４２  ビス、４３  ギヤ、４４  ロータ、４５  溝、４８  排出孔、４９  本体、５０  カセッターベース、６０  錠剤カウンター、７０  錠剤、８１，８２  コイルバネ、１０１  第一支点、１０２  第二支点。
【図１】
2016165495.tif 000003
【図２】
2016165495.tif 000004
【図３】
2016165495.tif 000005
【図４】
2016165495.tif 000006
【図５】
2016165495.tif 000007
【図６】
2016165495.tif 000008
【図７】
2016165495.tif 000009
【図８】
2016165495.tif 000010
【図９】
2016165495.tif 000011
【図１０】
2016165495.tif 000012
【図１１】
2016165495.tif 000013
【図１２】
2016165495.tif 000014
【図１３】
2016165495.tif 000015
【図１４】
2016165495.tif 000016
【図１５】
2016165495.tif 000017
【図１６】
2016165495.tif 000018
【図１７】
2016165495.tif 000019
【図１８】
2016165495.tif 000020
【図１９】
2016165495.tif 000021
【図２０】
2016165495.tif 000022
【図２１】
2016165495.tif 000023
【図２２】
2016165495.tif 000024
【図２３】
2016165495.tif 000025
【図２４】
2016165495.tif 000026
【図２５】
2016165495.tif 000027
【図２６】
2016165495.tif 000028
【図２７】
2016165495.tif 000029
【図２８】
2016165495.tif 000030
【図２９】
2016165495.tif 000031
【図３０】
2016165495.tif 000032
【図３１】
2016165495.tif 000033
【図３２】
2016165495.tif 000034
【図３３】
2016165495.tif 000035
【図３４】
2016165495.tif 000036
【図３５】
2016165495.tif 000037
【図３６】
2016165495.tif 000038
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
錠剤を収納するように形成され、錠剤を排出するための排出孔が形成された本体と、
前記本体内に設けられ、錠剤を受け入れるための溝が設けられ、前記溝に受け入れた錠剤を前記排出孔に送る送り部材と、
前記溝に受け入れられた状態で前記送り部材によって送られてきた錠剤だけが前記排出孔から排出されるように、前記排出孔の上で前記溝の上側を塞ぐ蓋部を含み、錠剤が、前記溝からはみ出した状態で前記送り部材によって送られてきたとき、当該錠剤によって前記蓋部が押圧されて移動するように構成される仕切部材とを備え、
前記蓋部には、錠剤が、前記溝からはみ出した状態で前記送り部材によって送られてきたときに、当該錠剤と接触する縁が形成され、
前記仕切部材は、
前記本体に取付けられる取付部と、
前記取付部に接続され、前記送り部材によって錠剤が送られる方向に延びる第一片と、
前記第一片の上側または下側に設けられ、前記第一片に接続され、前記錠剤が送られる方向とは反対の方向に延び、前記蓋部が設けられる第二片とをさらに含み、
前記蓋部の縁に対して、前記錠剤が送られる方向の上流側に、前記取付部と前記第一片との接続部分が位置し、前記錠剤が送られる方向の下流側に、前記第一片と前記第二片との接続部分が位置する、錠剤カセッター。